(57)【特許請求の範囲】
【請求項１】
熱発生源より高所に設置する昇降式収納装置であって、
水平方向に対して傾斜をなす底面を有する昇降可能な収納部と、前記収納部を昇降自在に支持する昇降支持手段と、前記昇降支持手段を設置する支持基盤と、前記収納部の外部から前記収納部への熱の伝達を抑制する伝熱抑制手段とを備え、前記伝熱抑制手段として、前記底面に沿って空気が流れる通風空間を設けた昇降式収納装置。
【請求項２】
熱発生源より高所に設置する昇降式収納装置であって、
昇降可能な収納部と、この収納部が内部に設置されるとともに、水平方向に対して傾斜をなす底面を有する筐体と、前記収納部を昇降自在に支持する昇降支持手段と、前記昇降支持手段を設置する支持基盤と、前記収納部の外部から前記収納部への熱の伝達を抑制する伝熱抑制手段とを備え、前記伝熱抑制手段として、前記底面に沿って空気が流れる通風空間を設けた昇降式収納装置。
【請求項３】
さらに、前記伝熱抑制手段として、前記収納部の底面に断熱性部材を設けた請求項１に記載の昇降式収納装置。
【請求項４】
さらに、前記伝熱抑制手段として、前記筐体の底面に断熱性部材を設けた請求項２に記載の昇降式収納装置。
【請求項５】
さらに、前記伝熱抑制手段として、前記筐体が断熱性部材からなる請求項２に記載の昇降式収納装置。
【発明の詳細な説明】
【０００１】
【発明の属する技術分野】
本発明は、昇降式の収納装置に関するものである。
【０００２】
【従来の技術】
従来、この種の収納装置には、特開平７−３０３５３６号公報に記載されているようなものがあった。この装置は図１４に示したように、筐体１と、筐体１内に設けた収納部２と、収納部２を出し入れ自在に支持する昇降支持手段３と、筐体１に設けた扉体４とで構成されていた。
【０００３】
収納部２は、下方へ引き降ろすことができるため、部屋の高所に筐体を設置した場合でも、踏み台等を使わずに、手元位置で収納部から物品を出し入れすることができるようになっていた。
【０００４】
【発明が解決しようとする課題】
しかしながら、従来の収納装置では、筐体１の外部から筐体１へ、さらに収納部２へと伝わる熱を遮蔽する構成ではなかった。収納部２の昇降性を有効活用するために、昇降式収納装置は、高所すならち天井付近に設置されることがほとんどであるが、厨房などの熱発生源の存在する室内に設置した場合には、自然対流によって部屋の上部に熱気や湿気が滞留するため、高所に設置した筐体１は高温の雰囲気中にさらされることになる。また、筐体１の下方にオーブン等の熱発生源があり、熱気が直接筐体１に接触する場合もあり、筐体１自体が加熱されることにより変形したり、劣化したりするという課題を有していた。筐体１が加熱されたり、熱気が筐体１内に侵入したりすれば、筐体１内の温度が上昇し、収納部２へも熱が伝達され、収納部２に収納した物品が変質したり、劣化したりする課題を有していた。食料品を収納している場合には、腐食を促進する等の課題の生じる可能性があった。
【０００５】
また、収納部２を降下させた状態で、その直下に熱発生源の存在する場合には、収納部２に直接熱が伝わり、収納部２自体が加熱されることにより変形したり、劣化したり、あるいは収納部２に収納した物品が変質したり、劣化したりするという課題を有していた。
【０００６】
【課題を解決するための手段】
本発明は上記課題を解決するために、昇降可能な収納部と、前記収納部を昇降自在に支持する昇降支持手段と、前記昇降支持手段を設置する支持基盤と、前記収納部の外部から前記収納部への熱の伝達を抑制する伝熱抑制手段とを備えたものである。
【０００７】
上記発明によれば、伝熱抑制手段は、外部から収納部への熱の伝達を抑制するため、収納部を高所に設置した場合や熱発生源の上方に設置した場合でも、収納部へ熱の伝達が抑制され、収納部自体が熱によって変形したり、劣化したりすることはない。また、収納部に熱が伝わりにくいため、収納部に収納した物品が劣化したり、変質したりすることも防止できる。このため、食料品等を収納した場合でも、腐食を促進する恐れはなく、安心して保管することができる。
【０００８】
また、収納部の降下状態で、収納部が熱発生源の上方に位置する場合でも、伝熱抑制手段によって、収納部への熱の伝達を抑制することができるため、下方に熱発生源があるなしにかかわらず、降下させた位置に収納部を常設しておくことも可能となり、昇降式収納部の使用性が向上する。
【０００９】
【発明の実施の形態】
本発明の昇降式収納装置は、水平方向に対して傾斜をなす底面を有する昇降可能な収納部と、前記収納部を昇降自在に支持する昇降支持手段と、前記昇降支持手段を設置する支持基盤とを備え、前記底面に沿って空気が流れる通風空間を設けたものである。あるいは、昇降可能な収納部と、この収納部が内部に設置されるとともに、水平方向に対して傾斜をなす底面を有する筐体と、前記収納部を昇降自在に支持する昇降支持手段と、前記昇降支持手段を設置する支持基盤と、前記底面に沿って空気が流れる通風空間を形成したものである。収納部を筐体内に設けることにより、外部の熱が収納部に伝わることを抑制できるが、筐体の外側に熱気が滞留すれば、筐体内部つまり収納部に熱の伝わる可能性がある。このため、筐体の外部に通風空間を形成することにより、熱気が筐体の周囲に滞留することを防止し、収納部への熱の伝達が抑制される効果が得られる。また、筐体自体の温度上昇が抑制されることから、筐体が変形したり、変質したりすることを防止できる。送風手段等の電気的手段を用いる必要がなく、簡単な構成で効果を得ることができる。
【００１０】
収納部は、昇降支持手段によって昇降自在に支持されており、高所に設置した収納部を下方に引き降ろして使用することができ、踏み台等を使わずに、容易に収納部から収納物を出し入れすることができる。また、伝熱抑制手段は、外部から収納部への熱の伝達を抑制するため、収納部を高所に設置した場合や熱発生源の上方に設置した場合でも、収納部へ熱の伝達が抑制されるため、収納部自体が熱によって変形したり、劣化したりすることはない。また、収納部に熱が伝わりにくいため、収納部に収納した物品が劣化したり、変質したりすることも防止できる。このため、食料品等を収納した場合でも、腐食を促進する恐れはなく、安心して保管することができる。
【００１１】
また、収納部の降下状態で、収納部が熱発生源の上方に位置する場合でも、伝熱抑制手段によって、収納部への熱の伝達を抑制することができるため、下方に熱発生源があるなしにかかわらず、降下させた位置に収納部を常設しておくことも可能となり、昇降式収納部の使用性が向上する。
【００２０】
また、本発明の昇降式収納装置の伝熱抑制手段は、筐体の底面または収納部の底面に設けた断熱性部材としたものであり、筐体に直接熱気が接触するような場合でも、筐体または収納部の温度上昇は断熱性部材により抑制され、収納部への熱の伝達も抑制できる。
【００２１】
また、本発明の昇降式収納装置の伝熱抑制手段は、筐体を断熱性部材で構成したものであり、筐体に直接熱気が接触するような場合でも、筐体内への伝熱を抑制し、収納部への熱の伝達も抑制できる。
【００２２】
なお、本発明の昇降式収納装置は、送風手段を筐体の下方に設けたものであり、熱発生源と筐体との間に送風手段を設けることができ、筐体に熱が到達する前に対処できることから、筐体および収納部への伝熱を最も効率よく抑制することができる。
【００２５】
【実施例】
以下、本発明の実施例について図面を用いて説明する。
【００２６】
（実施例１）
図１は本発明の実施例１の昇降式収納装置の断面図であり、図２は同昇降式収納装置を厨房に設置した場合の断面図、図３は同昇降式収納装置を厨房に設置し、収納部２を引出した状態の断面図である。
【００２７】
図１において、収納部２は昇降支持手段３によって支持基盤５を兼ねた筐体１に支持されている。ここで、昇降支持手段３は平行リンクを構成する２本の回転アーム６、７であり、枢軸８、９で支持基盤５（筐体１）側に枢支され、枢軸１０、１１で収納部２に枢支されている。この昇降支持手段３である回転アーム６、７は、収納部２の両側に各々設けており、左右の回転アームの動作を同期させる連結手段１２を枢軸８の付近に設置している。また、筐体１前面の開口部１３には、扉体４を開閉自在に設置しており、収納部２を移動させるためのハンドル部１４を収納部２に設けている。
【００２８】
回転アーム６、７の枢軸８、９は軸受ユニット１５（破線で表示）に設置し、この軸受ユニット１５を筐体１の内面に固定している。この軸受ユニット１５の内部には、回転アーム７（昇降支持手段３）の移動に対して作用するばね材１６と油圧ダンパ等の緩衝装置１７を設置している（図１にのみ記載）。
【００２９】
また、筐体１の底部には、収納部２への伝熱を抑制する伝熱抑制手段１８を設置しており、この伝熱抑制手段１８は、送風手段１９と風路２０とで構成されて、風路の出口２１はやや上方へ吹き出す構成としている。また、送風手段１９は筐体１の外部に設置しており、送風手段１９により送風される空気は、筐体１の外側を流れる構成となっている。また、温度を検知する温度センサ２２と、温度センサの出力に応じて送風手段１９の運転を制御する送風制御手段２３を設置している。また、収納部２への伝熱を抑制する伝熱抑制手段１８として、収納部２の底面に断熱性部材２４を張り付け、さらに収納部２の底面に傾斜を設け、通風空間２５を形成する構成としている。
【００３０】
次に動作、作用について説明すると、ハンドル部１４を持って収納部２を動作させると、平行リンク構成である昇降支持手段３（回転アーム６、７）の旋回によって収納部２は昇降する。図２、図３のように、筐体１を高所に設置した場合には、収納部２を下方へ引き降ろして利用することができ、踏み台等を使用せずに手元で物品の出し入れを行うことができる。収納部２の昇降動作を行う際に、左右の回転アーム６、７の動きは連結手段１２によって同期されており、左右の回転アーム６、７が捩れることなく、安定して収納部２を移動させることができる。
【００３１】
収納部２は筐体１内に設け、この筐体１の側板は昇降支持手段３を支持する支持基盤５として作用しており、筐体１を壁面２６等に固定することで、筐体１と収納部２とを設置することができる。収納部２は、筐体１内に設置していることから、収納部２と外部とは筐体１によって遮蔽され、熱気が収納部２に直接接触することを防止し、熱が収納部２に伝わることを抑制する。また、熱以外にも蒸気や煙、ほこり等が収納部２に侵入することを抑制することもできる。
【００３２】
また、扉体４は、筐体１の開口部１３に開閉可能に設けており、扉体４を開放すれば、筐体１内の収納部２を昇降させることができる。一方、筐体１の開口部１３を扉体４が閉塞した場合には、収納部２と外部とは筐体１および扉体４によってほぼ完全に遮蔽され、外部の熱気や蒸気、煙、ほこり等が筐体１内により侵入しにくくなる。
【００３３】
また、筐体１の底部に設けた送風手段１９は、外部から筐体１、さらには収納部２へと伝達される熱を抑制する伝熱抑制手段１８として作用する。図２のように、筐体１の下方にオーブンやコンロ、レンジ等の熱発生源２７がある場合、その熱発生源２７から発生する熱は自然対流によって上方へ移動する。収納部２を筐体１内に設けることにより、熱気が収納部２へ直接作用することは防止できるが、筐体１の部材を通過して筐体１内に侵入する熱や、筐体１と扉体４との隙間から侵入する熱を抑制することはできない。特に、筐体１の直下に熱発生源２７があったり、筐体１の周囲に熱が滞留しやすい状態では、筐体１内に容易に熱が侵入し、収納部２へも熱が伝達されてしまう。筐体１の底部に設けた送風手段１９は、筐体１に近づく高温の空気を強制的に吹き飛ばすことにより、筐体１内に熱が侵入することを防止し、収納部２に熱が伝達されることを防止する。このため、収納部２を熱発生源２７の上方に設置した場合でも、収納部２に熱が伝達されにくく、収納部２に収納した物品が劣化したり、変質したりすることを防止できる。収納部２へ熱の伝達が抑制されるため、収納部２自体が熱によって変形したり、劣化したりする恐れもない。また、本実施例の構成では、送風手段１９は、筐体１の外側を流れる構成としており、筐体１外部から筐体１に伝わる熱を抑制することから、筐体１自体が熱によって変形したり、劣化したりすることを防止できる。
【００３４】
また、送風手段１９は筐体１の外部に設けており、図２のように、熱発生源２７と筐体１との間に送風手段１９を設けることができるため、筐体１に熱が到達する前に対処できることから、収納部２への伝熱を最も効率よく抑制することができる。
【００３５】
なお、送風手段１９は、上記のように伝熱抑制手段１８として作用し、外部から筐体１あるいは収納部２への伝熱を抑制するが、これ以外にも、収納部２に接近する蒸気や煙、ほこり等を吹き飛ばすこともでき、これらが収納部２に進入することを抑制することもできる。
【００３６】
また、送風する風路２０の出口は、やや上方に吹き出す構成となっており、吹き出し口の前方に人が立っている場合でも、顔に向かって温風が吹き出し、不快に感じることを防止している。図では送風手段１９としてシロッコファンを用いたが、プロペラファンやクロスフローファンなどの送風機であったり、他の送風手段１９であっても同様の効果が得られる。
【００３７】
また、図３のように、降下させた収納部２の下方に炊飯器等の熱発生源２７がある場合でも、伝熱抑制手段１８を用いることにより、収納部２への熱の伝達を抑制できる。伝熱抑制手段１８として、本実施例では収納部２の底面に断熱性部材２４を張り付けており、熱が収納部２に伝達されることを抑制する。さらに、収納部２の底面に傾斜を設け、図３の点線矢印のように熱気が自然対流によって通過する通風空間２５を収納部２まわりに形成しており、収納部２の底部に熱気が滞留することを防止し、収納部２への熱の伝達を抑制している。これにより、収納部２自体が加熱されて変形したり、変質したりすることが防止されるとともに、収納物が加熱されて劣化したり、変質したりすることを防止できる。このように、降下状態で収納部２が熱発生源２７の上方に位置する場合でも、伝熱抑制手段１８によって、収納部２への熱の伝達を抑制することができることから、下方に熱発生源２７があるなしにかかわらず、降下させた位置に収納部２を常設しておくことも可能となり、昇降式収納部の使用性が向上する。
【００３８】
なお、本実施例では、断熱性部材２４と通風空間２５の両方を用いた例を示したが、併用する必要はなく、何らかの伝熱抑制手段１８を用いれば、伝熱抑制効果が得られる。
【００３９】
また、温度センサ２２は、筐体１下方の温度を検知しており、送風制御手段２３は、温度センサ２２の出力に応じて送風手段１９の運転を制御する。温度センサ２２の出力がある一定温度以上になれば、送風制御手段２３は、自動的に送風手段１９を運転するように制御し、さらにその温度によって送風手段１９の運転の強弱も調整する。また、ある一定温度以下に温度が低下した場合には、運転を停止させる。温度センサ２２および送風制御手段２３を用いることにより、送風手段１９の自動運転が可能となり、スイッチの入れ忘れ等により、筐体１や収納部２等に熱が伝達されてしまうことを防止する。また、温度によって送風手段１９の運転の強弱を調節することから、効率的な運転ができ、省エネにもつながる。
【００４０】
なお、温度センサ２２は筐体１の下方に設けたが、この場所に限定するものではなく、筐体１内部や収納部２、あるいは熱発生源２７周辺に設置する場合も考えられる。また、複数個の温度センサ２２を設けることにより、より最適な状態に送風手段１９の運転を制御することができる。
【００４１】
なお、熱発生源２７としてオーブンやコンロ、レンジ等の例を挙げたが、調理器具以外にも食器洗浄機や乾燥機、照明、給湯機など、種々のものが存在する。また、厨房空間に昇降式収納装置を設けた例を示したが、厨房に限定するものではなく、他の場所に設置した場合でも、熱発生源が近設していれば、伝熱抑制等の効果を発する。例えば、家庭内では、暖房機具や衣類乾燥機等があるが、もちろん家庭内の使用に限定するものでもない。
【００４２】
また、回転アーム７（昇降支持手段３）の動作に対してばね材１６を作用させた場合には、収納部２を動作する際の操作力が小さくなるように作用し、より軽く収納部２を昇降させることができる。また、回転アーム７（昇降支持手段３）の動作に対して作用する油圧ダンパ等の緩衝装置１７を用いた場合には、収納部２がゆっくりと動作するように作用し、例えば収納部２が急速に降下するなど危険速度で動作することを防止する。
【００４３】
また、図示していないが、収納部２を駆動する電動駆動手段を設けた場合には、収納部２の重量が大きい場合でも、電動駆動手段が収納部２を動作させる力を補助するため、作業者は軽い力で収納部２を移動させることがでる。また、電動駆動手段だけで収納部２を昇降可能とした場合には、リモコン等により、自動的に駆動させることもできる。
【００４４】
なお、回転アームの枢軸を設置した軸受ユニットは、筐体１の側板に固定したが、これに限定するものではなく、側面や背面に固定したり、あるいはこれを用いずに枢軸を支持基盤に直接設置する構成であってもよい。また、ばね材には引張ばねを用いたが、圧縮ばね、ねじりばね、板ばねやガススプリング等など他の構成であっても同様の効果が得られる。緩衝装置も、油圧ダンパに限定するものではなく、摩擦ダンパやロータリーダンパなど他の方式であってもよい。また、ばね材１６や緩衝装置１７の設置方法限定するものではない。
【００４５】
なお、本実施例では、昇降支持手段３として平行リンクを形成する回転アームを用いたが、これに限定するものではなく、必要な昇降動作が可能な構成であればいい。例えば、図４に示すように、スライドレール２８を用いて、収納部２を上下に直動させるものや、図５のように２組の平行リンク２９、３０とガイド部３１を用いて、奥行きの深い収納部２を降下可能な構成など、いかなる構成であってもよい。
【００４６】
（実施例２）
図６は本発明の実施例２の昇降式収納装置の側面図であり、図１に示した実施例１と同じ構成要素には同一の符号を付与している。
【００４７】
図６に示すように、本実施例は、収納部２を筐体１内に設置せず、回転アーム６、７の枢軸８、９を設けた支持基盤５を背面（壁面２６）に固定し、伝熱抑制手段１８である送風手段１９は収納部２の下方に設置している。
【００４８】
筐体１がないため、収納部２の下方に熱発生源２７がある場合、上昇する熱気は直接収納部２に接触してしまうが、送風手段１９が収納部２に近接する熱気を吹き飛ばすことにより、収納部２への伝熱を抑制し、実施例１と同様の作用、効果が得られる。
【００４９】
また、筐体１がないため、収納部２の周りに閉空間が存在せず、その空間（筐体１内）に熱が滞留する恐れがないことから、熱発生時以外には収納部２が高温にさらされることはない利点を有する。
【００５０】
なお、伝熱抑制手段１８は、送風手段１９に限定するものではなく、図７のように、送風手段の代わりに、伝熱抑制手段１８として収納部２の底面に断熱性部材２４を用い、さらに図７の点線矢印のように熱気が自然対流によって通過する通風空間２５を収納部２まわりに形成することにより、収納部２の周囲に熱気が滞留することを防止し、収納部２への熱の伝達を抑制することから、同様の作用効果が得られる。この場合、降下位置における収納部２が熱発生源２７の上方に位置する場合でも、伝熱抑制手段１８によって、収納部２への熱の伝達を抑制することができるため、下方に熱発生源２７があるなしにかかわらず、降下させた位置に収納部２を常設しておくことも可能となり、昇降式収納部２の使用性が向上する。
【００５１】
（実施例３）
図８は本発明の実施例３の昇降式収納装置の断面図であり、図１に示した実施例１と同じ構成要素には同一の符号を付与している。
【００５２】
構成は、基本的には実施例１と同様であるが、図８に示すように、送風手段１９の代わりに筐体１の外側に通風空間２５を形成している。
【００５３】
通風空間２５は、筐体１の底面に傾斜を設け、さらに筐体１の背面に風路設けることで形成している。この通風空間２５は、図の点線矢印のように、筐体１の下方で発生した熱が自然対流によって通過する風路となり、筐体１の底部に熱気が滞留することを防止し、筐体１への熱の伝達を抑制することから、実施例１と同様の効果が得られる。
【００５４】
（実施例４）
図９は本発明の実施例４の昇降式収納装置の断面図であり、図１に示した実施例１と同じ構成要素には同一の符号を付与している。
【００５５】
構成は、基本的には実施例１と同様であるが、図９に示すように、送風手段１９は、筐体１の内側の空気を換気する構成としており、送風手段１９は筐体１の内部に設けている。
【００５６】
送風手段１９は、筐体１内に侵入した熱気を排気するように作用し、筐体１内に熱気が滞留しないため、収納部２への伝熱を抑制することができ、実施例１と同様の効果が得られる。
【００５７】
また、昇降式の収納装置では、収納部２が筐体１から出入りするため、収納部２と筐体１との間には空間が必要であるが、この収納として使用できない空間に送風手段１９を設けることにより、空間の有効利用を図ることができる。
【００５８】
（実施例５）
図１０は本発明の実施例５の昇降式収納装置の正面断面図であり、図１に示した実施例１と同じ構成要素には同一の符号を付与している。
【００５９】
構成は、基本的には実施例１と同様であるが、図１０に示すように、送風手段１９は、筐体部材３２の内部を流れる構成としたものである。
【００６０】
筐体１の周囲に熱が伝わった場合でも、筐体部材３２の内部に設けた風路に送風することにより放熱し、筐体１内部に伝達される熱を抑制する伝熱抑制手段１８として作用し、実施例１と同様の効果が得られる。
【００６１】
（実施例６）
図１１は本発明の実施例６の昇降式収納装置の断面図であり、図１に示した実施例１と同じ構成要素には同一の符号を付与している。
【００６２】
構成は、基本的には実施例１と同様であるが、図１１に示すように、伝熱抑制手段１８として筐体１および扉体４に通風口３３を設けている。
【００６３】
筐体１内に熱が侵入した場合でも、外気と筐体１内の空気が通風口３３を介して自然に循環することにより、熱気が筐体１内に滞留することを防止し、収納部２への伝熱が抑制され、請求項１と同様の効果が得られる。
【００６４】
なお、この実施例では、筐体１と扉体４の両方に通風口３３を設けたが、いずれか一方であってもよい。また、通風口３３の個数や大きさ等も任意であり、筐体１内の空気が自然に通風可能な構成であればよい。
【００６５】
（実施例７）
図１２は本発明の実施例７の昇降式収納装置の断面図であり、図１に示した実施例１と同じ構成要素には同一の符号を付与している。
【００６６】
構成は、基本的には実施例１と同様であるが、図１２に示すように、筐体１の底面に断熱性部材２４を設置している。
【００６７】
筐体１の下方に熱発生源２７がある場合、その熱発生源２７から自然に上昇する熱気は筐体１に接触し、筐体１の温度は上昇してしまうが、断熱性部材２４は、そのような外部からの熱が筐体１に伝わることを抑制する伝熱抑制手段１８として作用し、実施例１と同様の効果が得られる。
【００６８】
（実施例８）
図１３は本発明の実施例８の昇降式収納装置の断面図であり、図１に示した実施例１と同じ構成要素には同一の符号を付与している。
【００６９】
構成は、基本的には実施例１と同様であるが、図１３に示すように、筐体１自体を断熱性部材２４で構成したものである。
【００７０】
断熱性部材２４で構成した筐体１は、外部の熱が筐体１内に伝わることを抑制する伝熱抑制手段１８として作用し、実施例１と同様の効果が得られる。
【００７１】
【発明の効果】
以上のように本発明によれば以下の効果を有する。
【００７２】
収納部の外部から収納部への熱の伝達を抑制する伝熱抑制手段とを備えることにより、収納部を高所に設置した場合や熱発生源の上方に設置した場合でも、収納部へ熱の伝達が抑制されるため、収納部自体が熱によって変形したり、劣化したりすることを防止できる。また、収納部に熱が伝わりにくいため、収納部に収納した物品が劣化したり、変質したりすることも防止できる。
【００７４】
また、水平方向に対して傾斜をなす底面を有する昇降可能な収納部と、前記収納部を昇降自在に支持する昇降支持手段と、前記昇降支持手段を設置する支持基盤とを備え、前記底面に沿って空気が流れる通風空間を設ける。あるいは、昇降可能な収納部と、この収納部が内部に設置されるとともに、水平方向に対して傾斜をなす底面を有する筐体と、前記収納部を昇降自在に支持する昇降支持手段と、前記昇降支持手段を設置する支持基盤と、前記底面に沿って空気が流れる通風空間を形成することにより、筐体の外側に熱気が滞留することを防止し、筐体への伝熱を抑制するため、筐体自体が変形したり、変質したりすることを防止でき、収納部に熱が伝わることも防止できる。また、送風手段等の電気的手段を用いる必要がなく、簡単な構成で効果を得ることができる。
【００７９】
また、伝熱抑制手段は、収納部または筐体の周囲に設けた断熱性部材とした場合には、筐体に直接熱気が接触するような場合でも、筐体の温度上昇は断熱性部材により抑制され、収納部への熱の伝達も抑制できる。
【００８０】
また、伝熱抑制手段は筐体を断熱性部材で構成したものとした場合には、筐体に直接熱気が接触するような場合でも、筐体内への伝熱を抑制し、収納部への熱の伝達も抑制できる。
【図面の簡単な説明】
【図１】本発明の実施例１の昇降式収納装置の断面図
【図２】同昇降式収納装置を厨房に設置した場合の断面図
【図３】同昇降式収納装置を厨房に設置し、収納部を引き出した状態の断面図
【図４】同他の昇降手段を用いた場合の同昇降式収納装置の断面図
【図５】同更に他の昇降手段を用いた場合の同昇降式収納装置の断面図
【図６】本発明の実施例２の昇降式収納装置の断面図
【図７】同他の伝熱抑制手段を用いた場合の同昇降式収納装置の側面図
【図８】本発明の実施例３の昇降式収納装置の断面図
【図９】本発明の実施例４の昇降式収納装置の断面図
【図１０】本発明の実施例５の昇降式収納装置の正面断面図
【図１１】本発明の実施例６の昇降式収納装置の断面図
【図１２】本発明の実施例７の昇降式収納装置の断面図
【図１３】本発明の実施例８の昇降式収納装置の断面図
【図１４】従来の昇降式収納装置の断面図
【符号の説明】
１  筐体
２  収納部
３  昇降支持手段
４  扉体
５  支持基板
１８  伝熱抑制手段
１９  送風手段
２２  温度センサ
２３  送風制御手段
２４  断熱性部材
２５  通風空間
３２  筐体部材
３３  通風口
【図１】
0004513144.tif 000002
【図２】
0004513144.tif 000003
【図３】
0004513144.tif 000004
【図４】
0004513144.tif 000005
【図５】
0004513144.tif 000006
【図６】
0004513144.tif 000007
【図７】
0004513144.tif 000008
【図８】
0004513144.tif 000009
【図９】
0004513144.tif 000010
【図１０】
0004513144.tif 000011
【図１１】
0004513144.tif 000012
【図１２】
0004513144.tif 000013
【図１３】
0004513144.tif 000014
【図１４】
0004513144.tif 000015